(57)【特許請求の範囲】
【請求項１】
床面を走行可能な複数のキャスタを有するベース板の後部に、内部適所に配線接続手段を備えるとともに、上端部前面にディスプレイが取付可能な箱形中空状の脚体を立設し、この脚体の前面に、脚体内に連通する配線挿通孔を設けるとともに、脚体の前面におけるディスプレイ取付部の下方に、前方を向く支持板を設け、該配線挿通孔に、ケーブル類の挿通部のみ変形して開口する弾性変形可能な閉塞部材を設け、脚体の後面を、その一側端に開閉パネルの側端部を枢着することにより開閉可能としたことを特徴とする移動式ディスプレイ支持装置。
【請求項２】
支持板を上下位置調節可能に設けた請求項１に記載の移動式ディスプレイ支持装置。
【請求項３】
配線挿通孔を、ディスプレイ取付部付近から、支持板の移動範囲の最下限付近に亘って上下方向に連続して設けた請求項１または２に記載の移動式ディスプレイ支持装置。
【請求項４】
脚体の後面適所に把手を設けた請求項１ないし３のいずれかに記載の移動式ディスプレイ支持装置。
【発明の詳細な説明】
【０００１】
【発明の属する技術分野】
本発明は、小型のディスプレイをキャスタ付き脚体に支持し、会議室等に搬送してプレゼンテーションなどに使用する移動式ディスプレイ支持装置に関する。
【０００２】
【従来の技術】
この種の従来のディスプレイ支持装置としては、例えば特開平１１−２０４９４８号公報に開示されているものがある。
【０００３】
これは、キャスタ付載置台の両側部に立設した支柱の上端部同士を連結棒により連結し、両支柱の上端部間に、ディスプレイを取付ける取付金具を設けたものである。
【０００４】
【発明が解決しようとする課題】
上記従来のディスプレイ支持装置は、ディスプレイやパソコン本体、電源等のケーブル類を、支柱に取付けたケーブルクランパにより束縛したり、又は筒状の支柱を挿通して配線するようにしているが、前者のケーブルクランパによる方法では、ケーブル類が外部に露呈して体裁が悪く、かつ配線を保護することができない。
【０００５】
一方後者の方法では、支柱がパイプ状であるため、ケーブル類の配線作業が面倒であるだけでなく、収納空間が小さいため、ＡＣアダプタやコンセントボックス等を収納することはできず、それらの電源配線は必然的に外部となり、使用時の見栄えが低下する。
【０００６】
また、載置台は下端部に固定されているため、キーボード又はキーボード一体型のパソコンを載置してこれを操作するのは不便であり、従ってテーブル等のないオープンスペースで使用するときには、キーボード操作用の支持台が別途必要となる。
【０００７】
本発明は、上記問題点を解決するためになされたもので、ケーブル類を脚体内に収納し、かつ全ての電源配線を脚体内で行うことにより、それらが外部に露呈するのを防止して見栄えを向上させるとともに、キーボード等の支持板を取付可能として、テーブル等のないオープンスペース等でも使用し得るようにした移動式ディスプレイ支持装置を提供することを目的としている。
【０００８】
【課題を解決するための手段】
上記ディスプレイ支持装置において、床面を走行可能な複数のキャスタを有するベース板の後部に、内部適所に配線接続手段を備えるとともに、上端部前面にディスプレイが取付可能な箱形中空状の脚体を立設し、この脚体の前面に、脚体内に連通する配線挿通孔を設けるとともに、脚体の前面におけるディスプレイ取付部の下方に、前方を向く支持板を設け、該配線挿通孔に、ケーブル類の挿通部のみ変形して開口する弾性変形可能な閉塞部材を設け、脚体の後面を、その一側端に開閉パネルの側端部を枢着することにより開閉可能としたことを特徴としている。このようにすると、脚体にケーブル類を収納し、脚体内の配線接続手段を用いて全ての電源配線を行うことができるので、ケーブル等が外部に露呈せず、見栄えが向上する。そしてディスプレイや支持板上に置かれる電気類等のコード類を前面に設けた配線挿通孔を通して脚体内部の配線接続手段に最短の長さで脚体内に挿入でき、かつ配線接続手段への接続も後面の開閉パネルを開くことで容易に行え、しかも筐体内の他の機器の接続や修理、点検等をディスプレイ使用者の邪魔をすることなく脚体の後方から手軽に行える。
【００１０】
上記移動式ディスプレイ支持装置において、支持板を上下位置調節可能に設けるのが好ましい。
このようにすると、支持板の高さを操作者に適した位置に調節することができ、また不要時に下方に移動させてディスプレイの視界を良好とすることができる。
【００１１】
上記移動式ディスプレイ支持装置において、配線挿通孔を、ディスプレイ取付部付近から、支持板の移動範囲の最下限付近に亘って上下方向に連続して設けるのが好ましい。
このようににすると、ディスプレイやキーボード等のケーブルを、最寄りの配線挿通孔を通して最短の長さで脚体内に挿入することができる。
【００１４】
上記移動式ディスプレイ支持装置において、脚体の後面適所に把手を設けるのが好ましい。
このようにすると、ディスプレイ装置の移動が容易となる。
【００１５】
【発明の実施の形態】
以下、本発明の一実施形態を図面に基づいて説明する。図１の（ａ）は本発明のディスプレイ支持装置の正面図、（ｂ）はディスプレイ支持装置の背面図、図２は図１（ａ）のＡ−Ａ断面図、図３は図１（ａ）のＢ−Ｂ断面図、図４はディスプレイの配線状態を示す概念図、図５は図１（ａ）のＣ−Ｃ断面図、図６の（ａ）はディスプレイ支持装置の天板をテーブルと同一位置に調節した状態を示す説明図であり、（ｂ）はディスプレイ支持装置の天板を下げてテーブルをディスプレイの支柱に接触させた状態を示す説明図である。
【００１６】
先ず図１に示されるように、１は本発明のディスプレイ支持装置を示し、このディスプレイ支持装置１は、断面矩形で箱形中空状に形成され下端が床面Ｆを走行可能な複数のキャスタ５を有するベース板４の後部に立設して固定された脚体３と、該脚体３の上端部前面に取外し可能であってディスプレイ取付部の下方に、上下位置が調節可能に水平に取り付けられた支持板である天板６と、脚体３前面の上端部前面に取り付けられた液晶モニター等からなるディスプレイ２とで基本的に構成されている。
【００１７】
前記脚体３は、図１の（ａ）及び図３に示されるように、縦長の中空状に形成された箱体３ａと、この箱体３ａの両側に固定され下端が前記ベース板４の上面に立設して固定される一対の支柱１４ａ、１４ｂとで構成されている。
【００１８】
また、図１の（ａ）及び図５に示されるように、一対の支柱１４ａ、１４ｂの前面には、天板６を着脱可能に係止するための縦長スリット状の複数の係止穴１８が所定間隔で上下に配設され、これら係止穴１８の所定高さ位置には、天板６下面に固定されている一対のブラケット１７端部の係止片１７ａが係止されており、係止穴１８から係止片１７ａを係脱することにより、天板６を上下の所定範囲内で移動可能となっている。
【００１９】
さらに箱体３ａの前面には、図１の（ａ）及び図３に示されるように、箱体３ａの内部と連通すべく縦長矩形に開口する配線挿通孔７が形成され、この配線挿通孔７は、ディスプレイ２の取付部付近から、天板６の移動範囲の最下限付近に亘って上下方向に連続して設けられ、対向する縦方向の開口周縁に上下に亘って水平に植設された複数の弾性変形可能なブラシからなる閉塞部材１２によって閉塞されている。
【００２０】
閉塞部材１２は、配線挿通孔７を横切る方向に植設されたブラシの配線挿通孔７の中央部を縦方向に横切るブラシの切断部１２ａが形成され、この切断部１２ａがケーブル類Ｃの挿通部のみが変形して開口し得るように構成されている。
【００２１】
そして、脚体３を構成する箱体３ａ内部の片側内壁面には、端部にコネクタ１０を設けた電源用のケーブル９が接続された縦長のコンセント８ａが取付けられており、このコンセント８ａの近傍には、パソコンＰＣまたはディスプレイ２を中継し、または外部のパソコンＰＣ等と接続するための通信回線用のコネクタ８ｂや、インターネット等を利用する場合に外部電話回線と接続するためのモジュラージャック８ｃが取付られている。
【００２２】
また、箱体３ａ後面の下方側には開口部Ｗが形成されており、この開口部Ｗは箱体３ａ後面の一側端にヒンジ１５を介して開閉可能に枢支されるパネル１６によって閉塞可能とされており、パネル１６の後面には複数の小穴から成る放熱孔１９ａ、１９ｂが上下に配設され、箱体３ａ後面の開口部Ｗの上方部位には把手２０が設けられている。
【００２３】
次に、このように構成された本発明の移動式ディスプレイ支持装置の使用方法に付き説明する。
【００２４】
先ず、会議室等でプレゼンテーションなどを行うに際し、ディスプレイ支持装置１を会議室等に移動させて設置する。
【００２５】
この移動式ディスプレイ支持装置を、会議室内にテーブルＴ等がないオープンスペースなどで使用する場合には、該脚体３の上端部前面に水平に取り付けられた天板６にパソコンＰＣまたはキーボード（不図示）等を載置し、オペレータがパソコンＰＣを操作してディスプレイ２上に必要な画面を表示してプレゼンテーションなどが行われる。
【００２６】
このように、脚体３の上端部前面に水平に取り付けられた天板６上にパソコンＰＣを載置することができるので、テーブル等のないオープンスペースなどでも使用することができる。
【００２７】
そこで、天板６上にパソコンＰＣが載置されると、パソコンＰＣの電源コードＣ１及びディスプレイ２の電源コードＣ２を、箱体３ａ前面の縦長の配線挿通孔７を閉塞するブラシの切断部１２ａより箱体３ａの内部に挿通させて、パネル１６を開放してそれぞれの電源コードＣ１、Ｃ２端部のプラグＰ１、Ｐ２を箱体３ａ内部のコンセント８ａに接続する。
【００２８】
なお、パソコンＰＣに他のパソコンに接続して使用する場合や、インターネット情報等を取り入れて使用する場合には、パソコンＰＣに接続された図示しない他の各ケーブルのプラグを、通信回線用のコネクタ８ｂまたは、外部電話回線用のモジュラージャック８ｃに接続して使用することができる。
【００２９】
このようにすれば、脚体３としての箱体３ａに各電源コードＣ１、Ｃ２から成るケーブル類Ｃを収納し、箱体３ａ内の電源用のコンセント８ａや通信回線用またはインターネット等のモジュラージャック８ｃを用いて全ての電源配線を行うことができるので、ケーブル等Ｃが外部に露呈せず、箱体３ａ内に隠蔽収容されるので、箱体３ａ内に配線したケーブル等Ｃが見えることがなくなり、見栄えを向上することができる。
【００３０】
さらに、箱体３ａ前面にはパソコンＰＣの電源コードＣ１及びディスプレイ２の電源コードＣ２等から成るコード類Ｃが挿通可能な配線挿通孔７が設けられているので、天板６の取付位置に関わらず、ディスプレイやキーボード等のケーブル類Ｃを、最寄りの配線挿通孔７を通して最短の長さで箱体３ａ内に挿入することができる。
【００３１】
また、天板６をパソコンＰＣの載置台として使用するに際し、天板６の高さ位置が操作者（オペレータ）の操作位置として適切でない場合には、天板６を支持するブラケット１７端部の係止片１７ａを各支柱１４ａ、１４ｂの係止穴１８から取り外し、所望の高さ位置に対応する係止穴１８に係止片１７ａを係止する。
【００３２】
これにより、天板６が上下位置調節可能に設けられているので、この天板６の高さを操作者に適した位置に調節することができ、また不要時には、下方に移動させてディスプレイ２の視界を良好とすることができる。
【００３３】
次に、移動式ディスプレイ支持装置１を、テーブルＴ等が配置された会議室内で使用する場合には、テーブルＴ上にパソコンＰＣを載置して使用する。
【００３４】
そこで、脚体３の上端部前面に水平に取り付けられた天板６をテーブルＴの高さ位置に一致させて使用する場合には、図６の（ａ）示されるように、脚体３の前面に水平に取り付けられた天板６を前記と同様な高さ調節により、テーブルＴの高さ位置の下方に移動させる。
【００３５】
また、図６の（ｂ）示されるように、テーブルＴの側端部を脚体３前面に当接させて使用する場合には、脚体３の前面に水平に取り付けられた天板６を、前記と同様な高さ調節により、テーブルＴの高さ位置より下方に移動させる。
【００３６】
これにより、テーブルＴのある会議室等において天板６が不要なときには、これを取外すことができ、ディスプレイ２の視界の妨げとなったり、ケーブル類Ｃと干渉したりすることがなくなる。
【００３７】
さらに、ディスプレイ支持装置１は、複数のキャスタ５により床面Ｆ上を移動可能となっており、脚体３の適所には把手２０が設けられているので、ディスプレイ支持装置１を別の会議室等で使用する場合には、把手２０を持って容易に移動することができる。
【００３８】
また、脚体３の後面適所には放熱孔１９ａ、１９ｂ設けられているので、箱体３ａ内部に収容したＡＣアダプタ等から発熱した熱が内部に熱がこもることがなく、外部に放熱することができる。
【００３９】
以上、本発明の実施形態を図面により説明してきたが、具体的な構成はこれら実施の形態に限られるものではなく、本発明の要旨を逸脱しない範囲における変更や追加があっても本発明に含まれる。
【００４０】
例えば、前述した実施形態においては、縦長の配線挿通孔７に複数のブラシを水平に植設して配線挿通孔７の中央部を縦方向に横切るブラシの切断部１２ａよりケーブル類Ｃを挿通するように構成されているが、これを弾性変形可能な樹脂製またはゴム状の板材を配線挿通孔７の両側に配置しても良い。
【００４１】
【発明の効果】
本発明は以下の効果を奏する。
【００４２】
（ａ）請求項１項の発明によれば、脚体にケーブル類を収納し、脚体内の配線接続手段を用いて全ての電源配線を行うことができるので、ケーブル等が外部に露呈せず、見栄えが向上する。そしてディスプレイや支持板上に置かれる電気類等のコード類を前面に設けた配線挿通孔を通して脚体内部の配線接続手段に最短の長さで脚体内に挿入でき、かつ配線接続手段への接続も後面の開閉パネルを開くことで容易に行え、しかも筐体内の他の機器の接続や修理、点検等をディスプレイ使用者の邪魔をすることなく脚体の後方から手軽に行える。
【００４４】
（ｂ）請求項２項の発明によれば、支持板の高さを操作者に適した位置に調節することができ、また不要時に下方に移動させてディスプレイの視界を良好とすることができる。
【００４５】
（ｃ）請求項３項の発明によれば、ディスプレイやキーボード等のケーブルを、最寄りの配線挿通孔を通して最短の長さで脚体内に挿入することができる。
【００４８】
（ｄ）請求項４項の発明によれば、ディスプレイ装置の移動が容易となる。
【図面の簡単な説明】
【図１】本発明の（ａ）は本発明のディスプレイ支持装置の正面図、（ｂ）はディスプレイ支持装置の背面図である。
【図２】図１（ａ）のＡ−Ａ断面図である。
【図３】図１（ａ）のＢ−Ｂ断面図である。
【図４】ディスプレイの配線状態を示す概念図である。
【図５】図１（ａ）のＣ−Ｃ断面図である。
【図６】（ａ）はディスプレイ支持装置の天板をテーブルと同一位置に調節した状態を示す説明図であり、（ｂ）はディスプレイ支持装置の天板を下げてテーブルをディスプレイの支柱に接触させた状態を示す説明図である。
【符号の説明】
１                ディスプレイ支持装置
２                ディスプレイ
３                脚体
３ａ              箱体
４                ベース板
５                キャスタ
６                天板
７                配線挿通孔
８                配線接続手段
８ａ              コンセント
８ｂ              コネクタ
８ｃ              モジュラージャック
９                ケーブル
１０              コネクタ
１２ａ            切断部
１２              閉塞部材
１４ａ、１４ｂ    支柱
１５              ヒンジ
１６              パネル
１７              ブラケット
１７ａ            係止片
１８              係止穴
１９ａ            放熱孔
２０              把手
Ｃ                ケーブル類
Ｃ１、Ｃ２        電源コード
Ｆ                床面
ＰＣ              パソコン
Ｐ１、Ｐ２        プラグ
Ｗ                開口部
【図１】
0004510194.tif 000002
【図２】
0004510194.tif 000003
【図３】
0004510194.tif 000004
【図４】
0004510194.tif 000005
【図５】
0004510194.tif 000006
【図６】
0004510194.tif 000007